(57)【要約】【課題】コミュニケーションを書籍化するサービスを実現するシステムを提供する。【解決手段】スマートフォン１は、画像を撮影可能なカメラモジュール１２と、電気通信回線を介してメールを送受信自在なアンテナモジュール１４と、撮影された画像データ、送受信されたメールデータを含む各種データを記憶可能なメモリ１６と、制御基板１８とを含む。メモリ１６は、メール送受信を行う対象の識別番号と、メールデータと画像データを書籍化するための配置データとを記憶する。制御基板１８は、識別番号が付与されたメールからメールデータ、画像データ、又は双方のデータをメモリ１６に記憶し、記憶された配置データに基づき、記憶されたメールデータ及び画像データを配置した書籍データを記憶手段に記憶し、書籍データをアンテナモジュール１４により外部に送信する。【選択図】図１３
2014093003.tif 000002
【特許請求の範囲】
【請求項１】
画像を撮影可能な撮影手段と、
電気通信回線を介してメールを送受信自在なメール送受信手段と、
前記撮影手段で撮影された画像データ、前記メール送受信手段で送受信されたメールデータを含む各種データを記憶可能な記憶手段と、
処理手段とを含む携帯通信端末において、
前記記憶手段は、
メール送受信を行う対象の識別番号と、前記メールデータと前記画像データを書籍化するための配置データとを記憶し、
前記処理手段は、
前記識別番号が付与されたメールから前記メールデータ、前記画像データ、又は双方のデータを前記記憶手段に記憶し、
前記記憶手段に記憶された前記配置データに基づき、前記記憶手段に記憶された前記メールデータ及び前記画像データを配置した書籍データを前記記憶手段に記憶し、
前記書籍データを前記メール送受信手段により外部に送信することを特徴とする書籍作成システム。
【請求項２】
請求項１に記載の書籍作成システムにおいて、
前記記憶手段は、複数種類の前記配置データを記憶し、
前記処理手段は、
選択された前記配置データに基づき、前記記憶手段に記憶された前記メールデータ及び前記画像データを配置した書籍データを前記記憶手段に記憶することを特徴とする書籍作成システム。
【請求項３】
請求項１又は請求項２に記載の書籍作成システムにおいて、
時系列毎に前記識別番号が付与されたメールから前記メールデータ、前記画像データ、又は双方のデータを前記記憶手段に記憶し、
時系列毎に前記記憶手段に記憶された前記配置データに基づき、前記記憶手段に記憶された前記メールデータ及び前記画像データを配置した書籍データを前記記憶手段に記憶することを特徴とする書籍作成システム。
【請求項４】
請求項１から請求項３のいずれかの書籍作成システムから送信された前記書籍データを受信する受信手段と、
受信した前記書籍データを印刷する印刷手段とを備える書籍印刷システム。
【発明の詳細な説明】
【技術分野】
【０００１】
本発明は、書籍作成システム及び書籍印刷システムに関する。
【背景技術】
【０００２】
近年、ｉＰｈｏｎｅ（登録商標）やＧａｌａｘｙ（登録商標）などのスマートフォンやｉＰａｄ（登録商標）やＧａｌａｘｙ  ｎｏｔｅ（登録商標）などのストレートＰＣ等の携帯通信端末が普及してきている。このような携帯通信端末は、撮影機能があり、さらに、日常的に持ち歩いていることが多く、日常のふとした瞬間を撮影できる。
【０００３】
このように、携帯通信端末が普及したことによって、ユーザーが、デジタル写真を撮る機会が増え、携帯通信端末内に保存された写真データが増えてきている。
【０００４】
また、ユーザーは街を歩いている時に感じた気持ちを、家族や友人など知人に携帯通信端末を用いてメールで送信し、そのときの気持ちを容易に伝えることが行われている。
【０００５】
しかし、携帯通信端末内に保存された写真や送受信されたメールは、電子データのため、実際に触れることができず、これらのコミュニケーションを思い出の品として用いるために手で触れられるものが求められていた。
【０００６】
このため、日常のふとした一コマ一コマを切り抜き、手で触れることのできる本などの書籍形式で保存するサービスが求められて来た。
【０００７】
従来、電子データを書籍形式にするシステムとしては、例えば、ユーザーがパソコン（電子計算機）で作成した文章データを、電子通信回線を介して印刷会社のサーバに送受信し、書籍形式データを作成し、出版するサービスがあった（特許文献１や特許文献２）。
【先行技術文献】
【特許文献】
【０００８】
【特許文献１】特開２００２‐７７４０号
【特許文献２】特開２００２−１５１８０号
【発明の概要】
【発明が解決しようとする課題】
【０００９】
しかし、上記のサービスは、ユーザーがエディッタ等の編集ツールを用いて一人で書籍を完成させることを想定している。このため、例えば、ユーザーが送受信したメールの内容を書籍化することを想定していない。
【００１０】
また、複数人で書籍を作成するシステムもあるが、個々のユーザーがエディッタなどで作成した文章を書籍化するものであり、ユーザーが送受信したメールを書籍形式とするという思想ではない。このため、仮にメールを書籍として使うにしても、メールデータをエディッタにコピーする必要があった。
【００１１】
さらに、デジタルカメラなどで撮影した写真をコンピュータ上で書籍の形で編集するシステムもあるが、デジタルカメラから画像データをコンピュータに移行する必要があり
手間がかかる。また、撮影した写真を印刷し、色紙に貼り付けるなど手作業で書籍化することもできるが、一般のユーザーにとって、敷居が高い。
【００１２】
このため、ユーザー同士が送受信したメールや写真などのやりとり（コミュニケーション）を書籍化するサービスが求められていた。
【００１３】
本発明は、上述した課題を解決するために、コミュニケーションを書籍化するサービスを実現するシステムを提供することを目的とする。
【課題を解決するための手段】
【００１４】
画像を撮影可能な撮影手段と、
電気通信回線を介してメールを送受信自在なメール送受信手段と、
前記撮影手段で撮影された画像データ、前記メール送受信手段で送受信されたメールデータを含む各種データを記憶可能な記憶手段と、
処理手段とを含む携帯通信端末において、
前記記憶手段は、
メール送受信を行う対象の識別番号と、前記メールデータと前記画像データを書籍化するための配置データとを記憶し、
前記処理手段は、
前記識別番号が付与されたメールから前記メールデータ、前記画像データ、又は双方のデータを前記記憶手段に記憶し、
前記記憶手段に記憶された前記配置データに基づき、前記記憶手段に記憶された前記メールデータ及び前記画像データを配置した書籍データを前記記憶手段に記憶し、
前記書籍データを前記メール送受信手段により外部に送信することを特徴とする書籍作成システム。
【００１５】
請求項１に記載の書籍作成システムにおいて、
前記記憶手段は、複数種類の前記配置データを記憶し、
前記処理手段は、
選択された前記配置データに基づき、前記記憶手段に記憶された前記メールデータ及び前記画像データを配置した書籍データを前記記憶手段に記憶することを特徴とする書籍作成システム。
【００１６】
請求項１又は請求項２に記載の書籍作成システムにおいて、
時系列毎に前記識別番号が付与されたメールから前記メールデータ、前記画像データ、又は双方のデータを前記記憶手段に記憶し、
時系列毎に前記記憶手段に記憶された前記配置データに基づき、前記記憶手段に記憶された前記メールデータ及び前記画像データを配置した書籍データを前記記憶手段に記憶することを特徴とする書籍作成システム。
【００１７】
請求項１から請求項３のいずれかの書籍作成システムから送信された前記書籍データを受信する受信手段と、
受信した前記書籍データを印刷する印刷手段とを備える書籍印刷システム。
【発明の効果】
【００１８】
このように、写真データやメールデータを手で触れることが可能な書籍形式で保存でき、コミュニケーションを書籍化するサービスが提供できる。
【図面の簡単な説明】
【００１９】
【図１】本発明にかかるシステムの利用開始から本の作成までを示す概念図である。
【図２】本発明にかかるシステムのやりとりのフローを示す概念図である。
【図３】本発明にかかるシステムの起動からメールアカウント設定を示す概念図である。
【図４】本発明にかかるシステムの受信リストの作成を示す概念図である。
【図５】本発明にかかるシステムのブックスタンドを示す概念図である。
【図６】本発明にかかるシステムのメールの画面を示す概念図である。
【図７】本発明にかかるシステムのメールのタイプＡの詳細を示す概念図である。
【図８】本発明にかかるシステムのメールのタイプＢの詳細を示す概念図である。
【図９】本発明にかかるシステムのメールのタイプＣの詳細を示す概念図である。
【図１０】本発明にかかるシステムのメールの送信画面を示す概念図である。
【図１１】本発明にかかるシステムの書籍の注文画面を示す概念図である。
【図１２】本発明にかかるシステムの書籍とブックビュー画面を示す概念図である。
【図１３】本発明にかかるシステムを示すブロック図である。
【発明を実施するための最良の形態】
【００２０】
図１３に示すように、システムは、電気通信回路網によって接続可能なスマートフォン１とスマートフォン２と印刷所のサーバ３０を含んで構成されている。スマートフォン１は、カメラモジュール１２と、アンテナモジュール１４と、メモリ１６と、制御基板１８とを含んで構成されている。
【００２１】
メモリ１６内には、アプリケーションプログラムや、各種データが記憶可能である。また、本発明に関わるシステムのプログラム、及び本発明に関わるシステムのテーブルが記憶されている。テーブルには、親機ＩＤ、子機ＩＤ、写真、メール、書籍形式の配置データなどが記憶されている。親機ＩＤは、スマートフォン１を示すＩＤである。子機ＩＤは、本発明に関わる書籍を作るために、スマートフォン１からメールが送信される機器（又はメールアドレス）につけられたＩＤであり、スマートフォン１から子機ＩＤが付与された機器に対してメールが送信された場合、そのメールの内容又は添付されたファイルが記憶される。写真は、スマートフォン１から子機ＩＤが付与された機器に対して送信された写真データ又は、子機ＩＤが付与された機器から送信された写真データが保存されている。または、他の記憶領域に保存されている場合には、そのデータへのリンクが記録されている。メールは、スマートフォン１から子機ＩＤが付与された機器に対して送信されたメールの内容及び、子機ＩＤが付与された機器からスマートフォン１に対して送信されたメールの内容が記憶される。書籍形式の配置データは、書籍の表紙やメールが挿入される吹き出しの画像データが記憶される。
【００２２】
制御基板１８は、メール送信、画像撮影、画像保存など様々な制御を行う。また、制御基板１８は、下記のような制御を行う。
【００２３】
制御基板１８は、送受信されたメールのうち、子機ＩＤ又は親機ＩＤが付与されたメールからメールデータ、画像データ、又は双方のデータを時系列毎にメモリ１６に記憶する処理を行う。次に、制御基板１８は、メモリ１６に記憶された複数種類の配置データから、一つの配置データを選択する処理を行う。さらに、制御基板１８は、選択された配置データに基づき、メモリ１６に記憶されたメールデータ及び画像データを時系列毎に配置した書籍データをメモリ１６に記憶する処理を行う。さらに、制御基板１８は、書籍データをアンテナモジュール１４により外部、例えば、印刷業者サーバ３０に送信する処理を行う。印刷業者サーバ３０は、受信した書籍データに基づいて、プリンタで印刷する処理を行う。
【００２４】
なお、メモリ１６に記憶されている配置データでは、写真の大きさを書籍ページ上の２分の１にしてもよい。さらに、配置データでは、印刷される書籍の大きさをスマートフォン画面内で見た時との差異を、なくすためＡ５以下にしてもよい。また、印刷される書籍は、紙質も従来のアルバム書籍のように、写真を綺麗に見せるための分厚いものではなく、メールのやりとりを重ねる事を目的とした薄い紙にして、枚数を増やしてもよい。
【００２５】
このように、写真データやメールデータを手で触れることが可能な書籍形式で保存でき、コミュニケーションを書籍化するサービスが提供できる。
【００２６】
図１は、利用開始から本の作成までを示す。まず、本発明にかかるシステムのアプリ（プログラム）をｉＰｈｏｎｅ（登録商標）などの携帯情報端末にダウンロードする。次に、アプリケーションを起動する。次に、アプリケーションの基本設定を行う。アプリケーションの基本設定では、どのメールアドレスを親ＩＤにするか、パスワードの設定などメーラーの設定を行う。次に、作成する本のタイトルや、メールをやりとりする相手のメールアドレス（子機ＩＤ）を設定する。
【００２７】
その後、本発明にかかるシステムのアプリをダウンロードした携帯情報端末と、子機ＩＤが設定されたメールアドレス間でメールの送受信が行われる。送受信されたメールは本発明にかかるシステムのアプリにより自動的にレイアウトされ、ユーザーは何もしなくても書籍として体裁が整えられた書籍データが作成される。ユーザーがデータを印刷会社に送信すると、ＰＤＦデータと印刷された書籍がユーザーに納品される。
【００２８】
図２は、メールのやりとりのフローを示す。自分と相手（子機ＩＤが設定されたメールを送受信可能な端末の持ち主）がメールのやりとりを行う。本発明にかかるシステムのアプリがダウンロードされた携帯情報端末（親機ＩＤが設定された端末）に相手からメールが送信されると、書籍用のデータとして記録される。また、親機ＩＤが設定された端末から子機ＩＤが設定された端末にメールを送信するとそのメールも書籍用のデータとして記録される。なお、子機ＩＤが設定される端末は、ＰＣ，スマートフォン、携帯電話などメールが送受信可能な機器であれば、どのようなものであっても良い。
【００２９】
図３は、起動からメールアカウント設定を示す。まず、スプラッシュ画面が表示され、その後、初回起動時にムービーにより、本アプリの動作方法の説明が行われる。さらに、メールアカウント設定画面となり、名前と、メールアドレス（メールアカウント、親機ＩＤ）と、パスワードを設定する。なお、特定のアドレス以外の場合には、ホスト名などの詳細情報が必要となる。さらに、ユーザーが入力したメールアドレスと、パスワードとが正しいか認証が行われ、正しい場合には、メールアカウントの認証が成功した旨の表示がされ、正しくない場合には、メールアカウントの認証が失敗した旨の表示がされる。
【００３０】
図４は、受信リストの作成を示す。まず、ブック（メールのやりとりから作成しようとしている書籍）の作成を開始するため、ブックの名前を決める。次に、メールをやりとりする相手を選択する。これは、ｉＰｈｏｎｅ等の携帯情報端末に記録されているメールアドレスからでも良いし、ユーザーが直接メールアドレスを入力しても良い。このように選択されたメールをやりとりする相手のメールアドレスに子機ＩＤが付与される。こられらの初期設定が終了された後、携帯情報端末に記録されたメールの送受信履歴から子機ＩＤが付与されたメールアドレスに対して送受信されたメールが抽出され、記録される。
【００３１】
図５は、ブックスタンド（フォルダ）を示す。フォルダは、やりとりＢｏｏｋフォルダ、スター付ブックフォルダ、ゴミ箱フォルダの３つがある。やりとりＢｏｏｋフォルダは、ユーザーによって作られる書籍用のデータが保存される。スター付きブックは、複数のブックをまたいで、スター（お気に入りの印）を付けられたメッセージを一覧表示できる。ゴミ箱は、ブック内でメールを削除した場合や、書籍として編集されたデータを削除した場合には、このフォルダで一時的に保存される。
【００３２】
図６は、メールの画面を示す。本発明にかかるシステムのアプリを作成する場合、様々なメーラーを実装できる。例えば、タイプＡのような一般的な階層のメーラーでは、一般的なメーラーと同じ遷移を行い、必要なメールを選びやすい。ただし、一覧とブックとの相性が悪いという課題がある。また、タイプＢのようなメールリスト（分類機能としてとらえる）では、アプリが直接メールアプリケーションにアクセス出来、一覧表示をアプリのメインの画面遷移から外すことができる。また、タイプＣのようなツイッター（登録商標）のクライアントのようなメーラーでは、現在一般的に用いられるメーラーとは異なる雰囲気で新しい感じをユーザーにもたらすことができる。また、アプリの画面遷移が少なくシンプルであり、ブックとメールを完全に必要な機能のみに割り切っている。
【００３３】
図７は、メールのタイプＡの詳細を示す。タイプＡでは、携帯情報端末の画面をスワイプすることで一覧表示、メールビュー、ブックビューを切り替える事ができる。また、一覧表示では、下にスワイプすることで更新できる。また、メールビューでは、画面をタップすることで、バーが消えフルスクリーンモードになる。また、右にスワイプすることで最新メールに更新できる。ブックビューでは、本のデザイン設定を行うことができる。例えば、全体標準ではデフォルトの設定、ページではページ固有の設定を行う。画面をタップでフルスクリーン表示が行われる。また、画面上の文字など編集要素をダブルタップすると文字の色などの編集要素に関するメニュー表示が行われる。画面上の写真をダブルタップすると写真のカスタムメニュー表示が行われる。
【００３４】
図８は、メールのタイプＢの詳細を示す。タイプＢのメールビューでは、メール表示が左右スワイプでページが切り替えられ、画面をタップすることでフルスクリーンモードになる。なお、画面は縦スクロールではなく、あたかも現実の書籍をめくるような画面遷移が望ましい。また、右にスワイプすることで最新メールに更新できる。ブックビューでは、本のデザイン設定を行うことができる。例えば、全体標準ではデフォルトの設定、ページではページ固有の設定を行う。画面をタップでフルスクリーン表示が行われる。また、画面上の文字など編集要素をダブルタップすると文字の色などの編集要素に関するメニュー表示が行われ、例えば、文字フォントの編集ができる。画面上の写真をダブルタップすると写真のカスタムメニュー表示が行われる。なお、ブックビューでは、ページ表示のための操作は、基本的にメールビュー時と同じである。また、メールビューやブックビューの時に、ツールバーのリストボタンを押すと、一覧表示となる。
【００３５】
図９は、メールのタイプＣの詳細を示す。メールビューでは画面をタップすることで文章編集ができる。メール設定ボタンを押すことで、フォントサイズや行間などの設定画面に移動する。また、下にスワイプすることで更新できる。ブックビューでは、本のデザイン設定を行うことができる。例えば、全体標準ではデフォルトの設定、ページではページ固有の設定を行う。画面をタップでフルスクリーン表示が行われる。また、画面上の文字など編集要素をダブルタップすると文字の色などの編集要素に関するメニュー表示が行われ、例えば、文字フォントの編集ができる。画面上の写真をダブルタップすると写真のカスタムメニュー表示が行われる。
【００３６】
図１０は、メールの送信画面を示す。本発明にかかるシステムのアプリは、様々なメール画面を採用できる。例えば、メール送信画面１では、宛先入力フォームがない（相手は、子機ＩＤが設定された相手に限定される）。また、ファイルを添付するための添付ボタンがある。メール送信画面２では、宛先入力フォームがない（相手は、子機ＩＤが設定された相手に限定される）。また、添付ボタンがある。追加要素として、件名を入力できる。メール送信画面３では、宛先入力フォームがない（相手は、子機ＩＤが設定された相手に限定される）が、送信先が追加できるように送信先追加ボタンがある。また、添付ボタンがある。
【００３７】
図１１は、書籍の注文画面を示す。ブックスタンドからオーダーボタンを押すと注文内容が表示される。さらに、注文内容にそってやりとりしたメールや写真の書籍状態のプレビューが表示され、支払いや住所などの情報入力画面に移行する。その後、注文が確定され、書籍データが印刷業者に送信される。
【００３８】
図１２は、書籍とブックビュー画面を示す。図１２に示すように、本発明にかかるシステムは、写真データやメールデータを手で触れることが可能な書籍形式で保存できるとともに、印刷業者に書籍データを送信する。さらに、印刷業者のサーバは、受信した書籍データに基づき書籍を作成することにより、コミュニケーションを書籍化するサービスを提供できる。
【符号の説明】
【００３９】
１    スマートフォン
２    スマートフォン
１２  カメラモジュール
１４  アンテナモジュール
１６  メモリ
１８  制御基板
３０  サーバ
【図１】
2014093003.tif 000003
【図２】
2014093003.tif 000004
【図３】
2014093003.tif 000005
【図４】
2014093003.tif 000006
【図５】
2014093003.tif 000007
【図６】
2014093003.tif 000008
【図７】
2014093003.tif 000009
【図８】
2014093003.tif 000010
【図９】
2014093003.tif 000011
【図１０】
2014093003.tif 000012
【図１１】
2014093003.tif 000013
【図１２】
2014093003.tif 000014
【図１３】
2014093003.tif 000015